(57)【要約】  【課題】写真、図形あるいは文字の画像を指輪の内面に簡単に打刻して形成することができる、指輪内面画像打刻装置を提供する。【解決手段】画像取り込み装置１により取り込まれた画像を画像処理して画像データを出力する画像処理装置２と、画像処理装置２からの画像データから打刻針駆動装置５の打刻針８を駆動するための駆動データを出力する打刻針駆動制御装置３と、指輪６の内側に配置可能に支持された打刻針８を備えるとともに、打刻針駆動制御装置３から出力される駆動データにより打刻針８を指輪内周面上で駆動させる打刻針駆動装置５と、指輪内周面を打刻針８の駆動範囲内に保持固定する指輪保持装置７で構成される指輪内面画像打刻装置。【選択図】図１
0003139065.tif 000002
【実用新案登録請求の範囲】
【請求項１】
指輪の内面へ打刻により画像を形成する、指輪内面画像打刻装置であって、画像打刻装置が画像取り込み装置、画像処理装置、打刻針駆動制御装置、打刻針駆動装置および指輪支持装置により構成され、
前記画像取り込み装置により取り込まれた画像を画像処理して画像データを出力する画像処理装置と、
前記画像処理装置からの画像データから前記打刻針駆動装置の打刻針を駆動するための駆動データを出力する打刻針駆動制御装置と、
指輪の内側に配置可能に支持された前記打刻針を備えるとともに、前記打刻針駆動制御装置から出力される駆動データにより打刻針を指輪の内面上で駆動させる打刻針駆動装置と、
指輪の内面を前記打刻針の駆動範囲内に保持固定する指輪保持装置とを備えたことを特徴とする指輪内面画像打刻装置。
【請求項２】
打刻針が断面Ｌ字形の支持部材の一端に固定され、支持部材の他端が打刻針駆動装置に駆動可能に装着されていることを特徴とする請求項１記載の指輪内面画像打刻装置。
【考案の詳細な説明】
【技術分野】
【０００１】
本考案は、指輪の内面に写真、文字あるいは図形等を打刻により表示するための指輪内面画像打刻装置に関する。
【背景技術】
【０００２】
指輪の内面に写真画像を刻設した指輪が知られている。例えば、特許文献１には、写真図形を入力されたコンピュータの図形処理により黒白コントラストの２階調化処理を施し、２階調化処理図形に基づいて黒白正像フィルムを作成し、黒白正像フィルムを介して指輪の面に白正像フィルムの白地部分に対応して感光性レジストを感光させて形成したレジスト画像を定着し、定着されたレジスト画像の残余部分をサンドブラスト処理して写真を刻設することが開示されている。
【０００３】
また、特許文献２には、指輪の内面にレーザマーキングの彫刻により写真画像を形成するため、装置を駆動するための加工データに変換し、指輪をレーザマーキング装置にセッティングし、不活性ガス雰囲気内でレーザ彫刻することが開示されている。
【０００４】
また、特許文献３には、指輪の内周を複数の文字や図柄からなるメッセージを凸状に彫った打刻リングで打刻することができる指輪の複数文字打刻器が開示されている。
【特許文献１】特許第３１２７２６０号公報
【特許文献２】特開２００５−２６１６７５号公報
【特許文献３】特開平０７−２３７３９９号公報
【考案の開示】
【考案が解決しようとする課題】
【０００５】
前記引用文献１のサンドブラスト処理を利用した方式は、工程が複雑となるという欠点がある。また、サンドブラスト処理は、微細な彫刻ができず、写真画像を鮮明に形成できないという欠点がある。
【０００６】
前記引用文献１に比べて、引用文献２のレーザを利用した方式は、鮮明な写真画像を形成することができる。しかしながら、サンドブラスト処理と同様にレーザの方式も装置が大型になるという欠点があった。
【０００７】
引用文献３では、打刻により簡単に図形やメッセージを形成することができるが、図形やメッセージ毎に凸状に彫った打刻リングを用意しなくてはならないという不便さがあるだけでなく、写真画像などの打説は不可能である。
【０００８】
そこで、本考案は、写真、図形あるいは文字の画像を指輪の内面に簡単に打刻して形成することができる、指輪内面画像打刻装置を提供するものである。
【課題を解決するための手段】
【０００９】
本考案の指輪内面画像打刻装置は、指輪の内面へ打刻により画像を形成する、指輪内面画像打刻装置であって、画像打刻装置が画像取り込み装置、画像処理装置、打刻針駆動制御装置、打刻針駆動装置および指輪支持装置により構成され、前記画像取り込み装置により取り込まれた画像を画像処理して画像データを出力する画像処理装置と、前記画像処理装置からの画像データから前記打刻針駆動装置の打刻針を駆動するための駆動データを出力する打刻針駆動制御装置と、指輪の内側に配置可能に支持された前記打刻針を備えるとともに、前記打刻針駆動制御装置から出力される駆動データにより打刻針を指輪の内面上で駆動させる打刻針駆動装置と、指輪の内面を前記打刻針の駆動範囲内に保持固定する指輪保持装置とを備えたことを特徴とする。
【００１０】
前記打刻針は、断面Ｌ字形の支持部材の一端に固定され、支持部材の他端が打刻針駆動装置に駆動可能に装着される。
【考案の効果】
【００１１】
本考案の指輪内面画像打刻装置により、指輪の内面に従来のサンドブラスト処理やレーザ彫刻であった前処理やセッチングの複雑な調整をする必要がないので、極めて簡単に、写真、図形あるいは文字の画像を打刻して形成することができる。
【００１２】
また、本考案の画像打刻装置は、従来のサンドブラスト処理やレーザ彫刻に比べて、装置がコンパクトで軽量である。
【考案を実施するための最良の形態】
【００１３】
本考案の実施例を図面により説明する。
【実施例】
【００１４】
図１は本考案の画像打刻装置の全体図、図２は本考案における刻印針と指輪の配置を示す斜視図、図３は本考案の画像打刻装置により指輪の内面に形成された画像の概略図である。
【００１５】
図１において、本考案の画像打刻装置は、画像取り込み装置であるスキャナー１、画像処理装置２、駆動制御装置３、打刻針駆動装置５および指輪支持装置７により構成されている。
【００１６】
画像取り込み装置１では、例えばスキャナーで指輪内面に表示したい写真画像や文字などを読み込む。スキャナーによりデジタル化された写真画像や文字などのデジタル情報を処理して画像データを作成する。画像データは画像処理装置２へ入力される。画像処理装置２へ入力する画像デジタル情報は、本実施例ではスキャナーで行っているが、デジタルカメラや携帯電話などのデジタル情報であってもよい。また、デジタル情報を画像処理装置２に付属する入力装置から文字や図形を入力してもよい。手書きの図や直筆の文字はスキャナー１で読みとって入力してもよい。
【００１７】
画像処理装置２では二階調（白、黒）で読み込みデータ化する。ハーフトーン（中間色）をデータに反映させることにより微細な写真画像データを作成する。画像処理装置２には、背景を変えたりする編集機能を有する公知の画像処理装置を使用することができる。
【００１８】
指輪６は指輪支持装置７に垂直に保持され、指輪６の画像を形成する内面が上向きになるようにセットする。指輪支持装置７は画像を打刻する面の大きさに応じて指輪６を回転できるようにする。
【００１９】
駆動制御装置３は、画像処理装置２の画像データから刻印針８を駆動する刻印針駆動装置５を駆動するための駆動データを出力する。駆動制御装置３から駆動データを刻印針駆動装置４に出力して、刻印針８の打刻の深さを濃淡に対応させて、濃淡に適用する深さの打刻孔を形成する。深さと径の異なる打刻孔を多数形成して、打刻孔の集合体で濃淡の微妙なコントラストにより画像を形成する。白に近い場合には、強い押し込み力により直径の大きな打刻孔が形成され、この直径の大きな打刻孔により画像の陰影は白に近くなる。一方、黒に近い場合には、弱い押し込み力により直径の小さな打刻孔が形成され、この直径の小さな打刻孔により画像の陰影は黒っぽくなる。
【００２０】
刻印針８は超硬合金線からなり、刻印針駆動装置５により指輪６の内面に挿入される。刻印針８の先端の径は６０μｍ以下とし、約２０μｍ程度が好ましい。刻印針８は指輪の中に位置させるため、図２に示すように、断面Ｌ字形の刻印針支持部材４の端部に固定され、他端は刻印針駆動装置５のプランジャに装着される。
【００２１】
プランジャを備えた刻印針駆動装置は、例えば、特開平２００７−８１３３号公報などで知られており、ソレノイドに貫通させて設けてあるプランジャの下部に刻印針が設けられており、ソレノイドに通電するとプランジャが吸引されて、刻印針８が降下するように構成されている。
【００２２】
刻印針８は、降下に伴い指輪６の内面に押し込まれることにより打刻孔を形成し、図３に示すように、指輪６の内面に画像９が形成される。この際に、画像データに応じてソレノイドへの通電時間を変化させると、刻印針８が指輪内面に押し込む力の強度に変化が生じ、その力の強さに応じて深さと形状が変化した打刻孔が作成され、画像９を形成することができる。
【００２３】
なお、本考案は指輪の内面に画像を打刻するものであるが、指輪の外面、ペンダントなどの他の装飾品にも打刻により画像を形成することは可能である。
【図面の簡単な説明】
【００２４】
【図１】本考案の画像打刻装置の全体図である。
【図２】本考案における刻印針と指輪の配置を示す斜視図である。
【図３】本考案の画像打刻装置により指輪の内面に形成された画像の概略図である。
【符号の説明】
【００２５】
１：画像取り込み装置（スキャナー）
２：画像処理装置
３：駆動制御装置
４：刻印針支持部材
５：打刻針駆動装置
６：指輪
７：指輪保持装置
８：刻印針
９：画像
【図１】
0003139065.tif 000003
【図２】
0003139065.tif 000004
【図３】
0003139065.tif 000005